(57)【特許請求の範囲】
【請求項１】
家具又は建物における本体の開口部に、当該開口部を塞ぐための水平回動式の左右一対の扉を、その自由端が互いに重なることなく任意に水平回動させ得るように取付け、両扉における自由端寄りの裏側に、上下方向に延びるラッチ杆を、扉の外側から引手を操作すると回転するように設け、更に両扉の上端部又は下端部若しくは両方に、それら扉を閉じると本体に係合して扉を閉じた状態に保持するようにしたラッチ爪を、前記引手を操作してラッチ杆を回転させるとラッチ爪が本体から係合解除するように設けて成る家具又は建物であって、
前記左右扉のうちいずれか一方に、施錠操作によって作動するデッドボルトが備えられた錠を、施錠すると前記デッドボルト又はこれに連動した他の部材が他方の扉の裏側に入り込むように設け、このデッドボルトと左右両扉のラッチ杆とを、施錠するとデッドボルトを介して両ラッチ杆が作動不能になるように関連させていること、
を特徴とする観音開き式扉を備えた家具又は建物。
【発明の詳細な説明】
【０００１】
【発明の属する技術分野】
本発明は、キャビネット等の家具類や建物であって、ラッチ機構付き観音開き式扉装置を備えているものに関する。
【０００２】
【従来の技術・発明が解決しようとする課題】
２枚の扉を水平回動自在に設けた観音開き式の扉装置に錠を設ける場合、図15(A) に示すように、両扉A,B が閉じた状態でその自由端A1,B1 が重なり合うように構成し、自由端B1が外側に位置する一方の扉Ｂのみに錠を設けることが多い。この場合、一方の扉Ｂに、当該扉Ｂを閉じるとラッチ爪が本体に係合して閉じた状態に保持するようにしたラッチ機構を設け、錠により、ラッチ機構を解除不能とすることによってロックするようにしているのが一般的である。
【０００３】
この図15(A) のタイプの扉装置では、一つの錠によって両方の扉をロックできる利点を有するが、両扉A,B の開き順序及び閉じ順序が一定であるため扉A,B の開閉が煩わしい場合があり、しかも、片方の扉Ａしか開く必要がないにも拘わらず両方の扉A,B を開かなければならない場合がある点も問題であった。
この問題は、図15(B) に示すように、両扉A,B を、その自由端が重ならないようにして、互いに干渉することなく開閉できるように構成し、両扉A,B にそれぞれラッチ機構を設けることによって解消される。しかし、図15(B) のように構成すると、両方の扉A,B に錠を取り付けなければならないため、構造が複雑になるばかりか、解施錠操作が面倒になるという新たな問題が生じる。
【０００４】
本発明は、この問題を解消することを目的とするものである。
【０００５】
【課題を解決するための手段】
この目的を達成するため本発明は、
「家具又は建物における本体の開口部に、当該開口部を塞ぐための水平回動式の左右一対の扉を、その自由端が互いに重なることなく任意に水平回動させ得るように取付け、両扉における自由端寄りの裏側に、上下方向に延びるラッチ杆を、扉の外側から引手を操作すると回転するように設け、更に両扉の上端部又は下端部若しくは両方に、それら扉を閉じると本体に係合して扉を閉じた状態に保持するようにしたラッチ爪を、前記引手を操作してラッチ杆を回転させるとラッチ爪が本体から係合解除するように設けて成る家具又は建物において、
前記左右扉のうちいずれか一方に、施錠操作によって作動するデッドボルトが備えられた錠を、施錠すると前記デッドボルト又はこれに連動した他の部材が他方の扉の裏側に入り込むように設け、このデッドボルトと左右両扉のラッチ杆とを、施錠するとデッドボルトを介して両ラッチ杆が作動不能になるように関連させる」
の構成にした。
【０００６】
【発明の奏する効果】
このように構成すると、２枚の扉をそれぞれ任意に開閉できるものでありながら、一つの錠によって両方の扉をロックすることができるため、開閉順序がない使い勝手の良い扉装置でありながら、ロック機構を簡単にできると共に解施錠操作の手間を軽減することができる。
【０００７】
ところで、観音開き式の扉を一つの錠でロックする場合、一方の扉に設けた錠のデッドボルトを、他方の扉の端面に設けた係合穴に嵌め込んで、いわば左右両扉の自由端をデッドボルトで繋いだ状態にするも考えられる。しかし、この手段では、引手に手を掛けて扉を引くと、扉に作用したモーメントがデッドボルトに集中的に作用するため、錠が破損しやすい問題がある。これに対して本願発明は、ラッチ機構を利用して、施錠によってラッチ機構のラッチ爪を本体に係合した状態に保持するものであるため、扉を強く引いても錠のデッドボルトに大きな外力が集中することはなく、従って、錠の耐久性が高い利点もある。
【０００８】
【発明の実施形態】
次に、本発明をキャビネットに適用した実施形態を図面に基づいて説明する。
(1).全体の概要
図1(A)はキャビネット１の外観斜視図である。キャビネット１は、前面を開口した本体２と、蝶番（図示せず）を介して取付けた左右一対の観音開き式扉3,4 とを備えている。このキャビネット１は、例えば高さ１ｍ程度の高さの他の家具Ｆの上に載せて使用するタイプであり、このため、両扉3,4 の下端部に引手５を設けている。
【０００９】
図1(B)は右扉４のラッチ機構の概略斜視図であり、この図に代表して示すように、この実施形態では、引手５を、水平状の回動軸６を中心に前後回動するように構成し、この引手５の回動軸６に下向きの当接部6aを設ける一方、両扉3,4 における自由端部の中空部内に配置した上下長手のラッチ杆７に、前記回動軸６の当接部6aの前方に延びる水平ロッドを横向きに突設することにより、引手５を手前に回動させるとラッチ杆７が水平回転するように構成している。
【００１０】
詳しくは後述するが、扉3,4 の上下両端部の内部に、一対のガイド体9,10を介してラッチ爪11を左右水平スライド自在に装着し、このラッチ爪11を、ラッチ杆７に取付けたアーム部材12を介して左右スライドさせるように構成している。
図２は図1(A)の II-II視断面図であり、この図に示すように、ラッチ杆７は、ばね13により、引手５を奥方向に押すような方向（換言すると、ラッチ爪11を扉3,4 の自由端の方向に押す方向）に付勢している。なお、ラッチ杆７を一方方向に付勢するばね13に加えて、ラッチ爪11を一方方向に付勢するためのばねを別に設けても良い。
【００１１】
この実施形態では扉3,4 は木製であり、裏に金属板製等の裏板14を取付けている。右扉４には錠15を設けている。
(2).ラッチ機構
次に、図３〜図９に基づいて、ラッチ機構の要部を説明する。図３及び図４は要部の分離斜視図、図５は左右扉４を本体２から離反させた状態での図1(A)の平断面図、図６は図５のVI−VI視断面図である。
【００１２】
(3).扉の部分におけるラッチ機構
例えば図３に示すように、ラッチ爪11は、扉3,4 の裏面に沿って延びる基部11ａと、該基部11ａから突出した爪部11ｂとで平面視で略Ｌ字状に形成されており、基部11ａを、第１ガイド体９に形成した凹所17にスライド自在に嵌め入れ、第１ガイド体９に第２ガイド体10を重ね合わせている。
【００１３】
第２ガイド体10の左右端面には、第１ガイド体９の端面に向けて延びる門形の鉤体18が突設されている一方、第１ガイド体９の端面には爪19を設けており、前記鉤体18を弾性に抗して爪19に嵌め込むことにより、両ガイド体9,10を互いに重ねた状態に保持している。また、両ガイド体9,10は、図示しない保持手段により、扉3,4 に形成した凹所内に脱落不能に固定されている。
【００１４】
ラッチ爪11における基部11ａの上下両面には、左右長手のガイド凸条20が突設されている一方、両ガイド体9,10には、前記ガイド凸条20が摺動自在に嵌まる長穴21が形成されている。
両ガイド体9,10には、ラッチ杆７と同心状の丸穴22が空いており、上下ガイド体9,10の丸穴21に、アーム部材12の基部12ａを回転自在に嵌め込む一方、アーム部材12の先端に突設したピン12ｂを、ラッチ爪11の爪部11ｂに形成した前後長手のピン穴23に嵌め入れている。アーム部材12の基部12ａは、ラッチ杆７に対して回転不能に被嵌している。すなわち、アーム部材12とラッチ杆７とが一体に回転する。
【００１５】
ラッチ爪11のうち基部11ａと爪部11ｂとの連接部は、アーム部材12の基部12ａと干渉しないようよ平面視円弧状に切り欠かれている（この円弧状の切欠き部を符号24で示す）。また、ラッチ爪11における爪部11ｂの下面は、アーム部材12が嵌まり込むように切り欠かれている（下面の切欠き部を符号25で示す）。
前記したようにラッチ杆７とばね13によって一方方向に付勢されているため、扉3,4 の引手５に外力が作用していない状態では、ラッチ爪11は、扉3,4 の自由端に向けて移動した前進姿勢に保持されており、引手５を引くと、ラッチ杆７及びアーム部材12を介してラッチ爪11は後退する。
【００１６】
なお、ラッチ爪11の具体的形態やガイド手段は図示のものには限らず、様々の形態に具体化できる。
(4).本体の箇所でのラッチ機構
本体２における中空状のかまち部2aには、前記ラッチ爪11が係脱する係合部の一例として一対のスライド式のラッチプレート26,27 を左右動自在に配置し、この左右ラッチプレート26,27 の先端部に対して、かまち部2aに形成した窓穴28を介してラッチ爪11をそれぞれ係脱させるようにしている。
【００１７】
前記両ラッチプレート26,27 は、例えば図４に示すように、ラッチ爪11が前方から嵌まるよう前向き開口の箱状に形成された枠部29と、枠部29の一側に連接した重合板部30とを備えている。両方のラッチプレート26,27 の重合板部30は互いに重なった状態でかまち部2aの前面に沿って延びるように設定している。
左ラッチプレート26における重合板部30のうちその先端部を除いた基部30ａは、下方に大きく切り開かれることによって細幅状に形成されており、また、先端部は、基部30ａよりも前方にずれるように段違いになっている。他方、右ラッチプレート27の重合板部11は左ラッチプレート26と対称状に形成されており、その基部30ａは上方に向けて大きく切り開かれて細巾状になっている。
【００１８】
図３から容易に推測できるように、左右ラッチプレート26,27 は、重合板部30を互いに噛み合わせた状態で前後に重なり合っており、一方のラッチプレート26,27 における重合板部30の先端部が、他方のラッチプレート26,27 における枠部29に部分的に重なるように設定している。また、図６に示すように、左右ラッチプレート26,27 における重合板部30の細幅状基部30ａは上下に離反している。左右ラッチプレート26,27 は重なり合った状態で左右水平方向に互いにスライド自在である。
【００１９】
両ラッチプレート26,27 における両重合板部30の最先端は相手のラッチプレート26,27 に向けて傾斜している。また、両ラッチプレート26,27 の滑りを円滑に行うため、重合板部30の先端部の付け根箇所には折曲片30ｂを形成している。
図3,4,6 に示すように、両ラッチプレート26,27 は、その背面に位置した支持部材31と前面に位置したとキャップ部材32とによって前後から挟まれている。支持部材31の上下両端には左右一対ずつの門形の鉤体33が前向きに突設されている一方、キャップ部材32の上下両面には、前記鉤体33に対応した一対ずつの爪34を突設しており、図３や図６に示すように、鉤体33を弾性に抗して爪34に嵌め込むことにより、支持部材31にキャップ部材32を離脱不能に装着している。
【００２０】
また、図６に示すように、支持部材31から後ろ向き突設した支持片35を、本体２における天板の下面に設けた補強フレーム35の下面にねじ37で固着しており、これにより、支持部材31とキャップ部材32とを本体２のかまち部2aに脱落不能に装着している。
なお、支持部材31やキャップ部材32は図示の形態には限らないし、また、他の部材にラッチプレート26,27 を装着しても良い。更に、ラッチ爪11は他の係合部材に係脱させたり本体２に直接係脱させても良い。
【００２１】
図６に示すように、支持部材31の前面に形成した左右長手の凸条38の上下に、ラッチプレート26,27 における重合板部30の細幅状基部30ａが振り分けて配置されており、両ラッチプレート26,27 は、支持部材31とキャップ部材32とにガイドされて、任意に左右スライドし得る。ラッチプレート26,27 における重合板部30の付け根箇所が凸条38の端面に当てることにより、ラッチプレート26,27 の前進位置が規制される。
【００２２】
キャップ部材32の裏面には、支持部材31の凸条38と重なり合う細巾で縦長のスペーサ部39を形成している。更に、例えば図11に示すように、キャップ部材32の裏側には、その裏面から若干の間隔を開けた状態で上下長手の板片40を連接しており、キャップ部材32の裏面と板片40との間にラッチプレート8,9 の先端部を挿入している。これは、ラッチプレート26,27 をガタ付きなくスライドさせるためである。
【００２３】
図3,7 に示すように、キャップ部材32のうち前記板片40の箇所には、正面視で板片40と重複する透孔4 が空いているが、これは、キャップ部材32を合成樹脂の射出成形によって製造するに際して、板片40を金型の抜き違いによって形成することによって生じたものである。
図７に示すように、両ラッチプレート26,27 を前進させた状態では、一方のラッチプレート26,27 における重合板部30の先端が他方のラッチプレート26,27 の枠部29を部分的に塞いでおり、従って、この状態では、図５に一点鎖線で示すように、両ラッチ爪11は、ラッチプレート26,27 によって抜け不能に保持されている。また、ラッチ爪11はばね13によって前進方向に付勢されており、ラッチプレート26,27 がラッチ爪11に係合した状態が保持される。
【００２４】
(5).ラッチ機構の作用の説明
次に、図７〜図９に基づいてラッチ機構の作動について説明する。
両方の扉3,4 を閉じた状態から右扉４の引手５を引くと、図７(A) に示すように、右扉４のラッチ爪11がスライドして左ラッチプレート26との係合が解除されると共に、右ラッチプレート27が右方向に後退動することにより、左扉３のラッチ爪11と右ラッチプレート27との係合が解除される。従って、図７(B) のように右扉４を開けたら、左扉３は、一々引手５を操作しなくても、自由端などの適当な箇所に指を当てて手前に引くだけで開けることができる。
【００２５】
図７(B) の状態では左ラッチプレート26は前進したままであるため、左扉３を開くことなく右扉４を閉じた場合は、右扉４のラッチ爪11が左ラッチプレート26の重合板部30に対していわゆる蹴り込み係合すると共に、右ラッチプレート27を前進させて、図11の状態に戻る。すなわち、片方の扉3,4 だけを開いたに過ぎない場合は、その開いた扉3,4 だけを閉じ操作すれば両方の扉3,4 にラッチが掛かり、他方の扉3,4 には手を触れる必要はない。
【００２６】
図８(A) では、図７の状態から左扉３も開いた状態を示している。この状態では両ラッチプレート26,27 は図７と同じ状態のままである。この状態から例えば右扉４を先に閉じると、左ラッチプレート26は前進したままであるため、図８(B) に示すように、右扉４のラッチ爪11が左ラッチプレート26の重合板部30に対していわゆる蹴り込み係合すると共に、右ラッチプレート27が前進する。従って、左扉３を閉じると、左扉３のラッチ爪11は、右ラッチプレート27の重合板部30に対していわゆる蹴り込み係合すると共に、左ラッチプレート26を前進させて、図９(A) のような状態になる。
【００２７】
なお、両方の扉3,4 におけるラッチ爪11を後退させると、図9(B)に示すように両方のラッチプレート26,27 が後退した状態になる。この状態で例えば右扉４を閉じると、右ラッチプレート27が前進することにより、左扉３のラッチ爪11が右ラッチプレート27に対して蹴り込み係合する状態になる。そして、左扉３を閉じると、左ラッチプレート26が前進して右扉４のラッチ爪11に対して係合する。従って、いずれにしても、両方の扉3,4 を閉じると図９(A) のように、両扉3,4 を閉じたらら、当該両扉3,4 は、引手５を引かない限り開かない状態（ラッチが効いた状態）に保持される。
【００２８】
(6).ロック機構
次に、図10〜図14に基づいてロック機構について説明する。
図10は右扉におけるロック機構の分離斜視図、図11は左扉３におけるロック機構の分離斜視図、図12は扉3,4 を仮想線で示した正面図、図13は図12のXIII-XIIIA視断面図、図14のうち (A)は図13のXIVA-XIVA 視断面図、 (B)は作用を示す図である。
【００２９】
(7).右扉４のロック機構
先ず、右扉４のロック機構について説明する。
図10,12,13に示すように、右扉４のうち引手穴43の箇所に形成した空所内には右支持板44が固着されており、この右支持板44のうち略右半部に形成した左右一対の第１ブラケット片45に、引手５を、その上端の回動軸６を中心にして前後回動するように取付け、引手５の回動軸６のうちラッチ杆７寄りの端部を下向きに折り曲げて当接部6aを形成している。右支持板44のうち略左半部には上下一対の第２ブラケット片46を折り曲げ形成し、上部の第２ブラケット片46に形成した穴46ａでラッチ杆７を回転自在に支持している。
【００３０】
更に、図13に示すように、ラッチ杆７に突設した水平ロッド８を、前記引手５の当接部6aの前面に位置させている。また、図10や図13に示すように、ラッチ杆７のうち水平ロッドのやや下方の部位には、略後方に向けて延びるストッパー47を突設している。
右支持板44における上下第２ブラケット片46の間には、スペーサ板48を介して錠（シリンダ錠）15が取付けられている。錠15には、キーＫの回転操作によって差動する板状のデッドボルト49が、右支持板44の表面に沿って左右水平方向にスライドするように取付けられている。図13及び図14に示すように、デッドボルト49はラッチ杆７のストッパー47と同じ高さであり、デッドボルト49の右端部に、解施錠操作によってラッチ杆７のストッパー47に向けて接近・離反するロック部49ａを折り曲げ形成している。
【００３１】
従って、錠15を解錠した状態では、デッドボルト49のロック部49ａがラッチ杆７のストッパー47から離反しているため、引手５は自在に回動させることができると共に、ラッチ杆７は自在に回転することができる。他方、施錠すると、図14(B) に示すように、デッドボルト49のロック部49ａでラッチ杆７のストッパー47の回動が遮られ、これにより、ラッチ爪11がラッチプレート26,27 に係合した状態でラッチ杆７が回転不能に保持されると共に引手５が回動不能に保持される。すなわち、右扉４はロックされる。
【００３２】
錠15を解錠した状態で、デッドボルト49の左端は右扉４の端面に近接しており、右扉４の自由端の端面には、施錠によってデッドボルト49が突出することを許容するための貫通穴50が開いている。
なお、例えば図13に示すように、扉3,4 には、引手穴43が開いた引手枠51を装着しており、ラッチ杆７に指を挿入できないようにそ引手穴43の内周は囲われている。
【００３３】
(8).左扉３のロック機構
図11,12,13等に示すように、左扉３の空所内にも、右扉４の右支持板44と略左右対称状に形成した左支持板50を取付けており、この左支持板50に左右一対の第１ブラケット片45と上下一対の第２ブラケット片46とを折り曲げ形成し、左右第１ブラケット片45に引手５を回動自在に取付け、上部の第２ブラケット片46にラッチ杆７を回転自在に取付けている。また、引手５の回動軸６に当接部6aを折り曲げ形成する一方、ラッチ杆７には、引手５の当接部6aの前面に位置する水平ロッドを突設している。
【００３４】
左支持板50のうち上下第２ブラケット片46の間の部位に、左扉３の自由端の方向に向かう固定鉤片51を切り起こし形成すると共に、この固定鉤片51に嵌まる穴52を開口した側面視コ字状のスライダー53を左右摺動自在に嵌め込んでいる。スライダー53における穴52の端部には、前記固定鉤片51と対向する可動鉤片54を切り起こし形成し、この可動鉤片54と前記固定鉤片51との間にばね（圧縮コイルぱね）55を抜け不能に介在させている。従って、スライダー53はばね55によって常に左扉３の自由端の方向に付勢されている。
【００３５】
左扉３の自由端の端面には、前記錠15を施錠するとそのデッドボルト49が嵌まり込む貫通穴56が開口しており、前記スライダー53の右端部には、貫通穴56を介して進入したデッドボルト49が当たる当たり片53ａを折り曲げ形成している。また、例えば図11及び図12に示すように、スライダー53の下端の左端には、当該スライダー53のスライドにて引手５の当接部6aの下端の前面箇所に前進・後退するストッパー部53ｂを形成している。
【００３６】
従って、解錠した状態では、スライダー53は、ばね55によって右側に前進した状態に保持されるため、ストッパー部53ｂは引手５の当接部6aから離反しており、このため、引手５を自在に回動させて左扉３を開けることができる。他方、左右両扉3,4 を閉じた状態で施錠すると、図14 (B)に示すように、左扉３のスライダー53がデッドボルト49によって押されることにより、スライダー53のストッパー部53ｂが左扉３における引手５の当接部6aの手前に位置して、当該当接部6aの前向き回動が阻止され、これにより、左扉３は開き不能に保持される。
【００３７】
(9).むすび
以上の説明の通り、左右両扉3,4 を任意に開閉できる扉装置でありながら、一つの錠15によって左右両扉3,4 をロックすることができる。しかも、ラッチ爪11が本体２に係合した状態を保持することによってロックするものであるから、扉3,4 を強く引いてもデッドボルト49に大きな外力が集中することはなく、従って、耐久性を向上できる。
【００３８】
なお、スライダー53は他の形態でも良いが、実施形態のような板金製にすると構造が簡単になって、好適である。また、スライダー53を付勢するばねは圧縮ばねには限らず、引張ばねや板ばね等の他のばね手段でも良い。また、錠のデッドボルトは解施錠によって回動するように構成しても良い。
(10). その他
以上、本発明の実施形態を説明したが、本発明は更に種々の形態に変更することができる。例えばラッチ爪は鉤型には限らない（ラッチ爪の作動形態の変更に伴って係合部の形態も変わってくる）。また、引手５は前後回動式に限らず水平回動式やスライド式に構成しても良い。また、引手に代えてハンドルや撮みを設けても良い。
【図面の簡単な説明】
【図１】 (A)はキャビネットの斜視図、 (B)はラッチ機構の概略図である。
【図２】図1(A)の II-II視断面図である。
【図３】要部の分離斜視図である。
【図４】要部の分離斜視図である。
【図５】扉を本体から離反させた状態での図１1(A)の平断面図である。
【図６】図５のVI−VI視断面図である。
【図７】作用を示す図である。
【図８】作用を示す図である。
【図９】作用を示す図である。
【図10】右扉におけるロック機構の分離斜視図である。
【図11】左扉におけるロック機構の分離斜視図である。
【図12】扉を仮想線で示した要部正面図である。
【図13】図12のXIII-XIII 視断面図である。
【図14】 (A)は図13のXIVA-XIVA 視断面図、 (B)はロック状態での (A)と同じ部位の平断面図である。
【図15】扉装置のタイプを示す概略図である。
【図１】
0003748689.tif 000002
【図２】
0003748689.tif 000003
【図３】
0003748689.tif 000004
【図４】
0003748689.tif 000005
【図５】
0003748689.tif 000006
【図６】
0003748689.tif 000007
【図７】
0003748689.tif 000008
【図８】
0003748689.tif 000009
【図９】
0003748689.tif 000010
【図１０】
0003748689.tif 000011
【図１１】
0003748689.tif 000012
【図１２】
0003748689.tif 000013
【図１３】
0003748689.tif 000014
【図１４】
0003748689.tif 000015
【図１５】
0003748689.tif 000016